(57)【要約】      （修正有）【課題】印刷画像の一部分の耐擦性および耐水性を向上させる際に他の部分の画質を維持することが可能な印刷装置の印刷方法を提供する。【解決手段】プリンターは有彩色の３種類のインクＣ、Ｍ、ＹとブラックインクＢｋを用いて印刷を行う。印刷データの印刷に際して、処理対象データ部分特定部は、注意書きと２次元コードを黒色で印刷するデータ部分を処理対象データ部分として特定する。また、商品写真や企業ロゴを印刷するためのデータ部分を不処理データ部分として特定するステップＳＴ４。次に、インク量補正部は、処理対象データ部分に基づいて黒色を印刷する際にブラックインクＢｋの吐出量が規定吐出量よりも少なくなり、不処理データ部分に基づいて黒色を印刷する際にブラックインクＢｋの吐出量が規定吐出量となるようにインク量データを補正するステップＳＴ５。【選択図】図４
2014233855.tif 000002
【特許請求の範囲】
【請求項１】
印刷データの印刷媒体への印刷時に、シアン、マゼンタ、イエローの３種類のインクおよびブラックインクの少なくとも一方で黒色の印刷を行う印刷装置の印刷制御方法において、
前記印刷データの一部分である第１データ部分を特定し、
前記第１データ部分に基づいて黒色を印刷する際に、前記ブラックインクの使用量を前記黒色の印刷用に予め規定されている当該ブラックインクの規定使用量よりも少なくすることを特徴とする印刷装置の印刷制御方法。
【請求項２】
請求項１において、
前記第１データ部分に基づいて前記黒色を印刷する場合には、前記３種類のインクの使用量を、前記黒色の印刷用に予め規定されている当該３種類のインクの規定使用量よりも多くすることを特徴とする印刷装置の印刷制御方法。
【請求項３】
請求項１または２において、
予め定めたフォントデータを用いて印刷を行うデータ部分を前記第１データ部分として特定することを特徴とする印刷装置の印刷制御方法。
【請求項４】
請求項１または２において、
前記印刷媒体上の予め定めた設定領域内に印刷を行うデータ部分を前記第１データ部分として特定することを特徴とする印刷装置の印刷制御方法。
【請求項５】
請求項１または２において、
複数の前記印刷データを含む印刷ジョブデータの供給を受け、
各印刷データにおいて他の印刷データと共通のデータ部分を除いた固有のデータ部分を前記第１データ部分として特定することを特徴とする印刷装置の印刷制御方法。
【請求項６】
シアン、マゼンタ、イエローの３種類のインクおよびブラックインクの少なくとも一方を印刷ヘッドから吐出させて黒色の印刷を行う印刷装置を駆動制御して印刷データを印刷媒体に印刷する印刷制御装置において、
前記印刷データの一部分である第１データ部分を特定する特定部と、
前記第１データ部分に基づいて黒色を印刷する際に前記印刷ヘッドから吐出させる前記ブラックインクの吐出量を、前記黒色の印刷用に予め規定された前記ブラックインクの規定吐出量よりも少なくするインク量補正部と、を有することを特徴とする印刷制御装置。
【請求項７】
請求項６において、
前記インク量補正部は、前記第１データ部分に基づいて前記黒色を印刷する際に前記印刷ヘッドから吐出させる前記３種類のインクの吐出量を、前記黒色の印刷用に予め規定された前記３種類のインクの規定吐出量よりも多くすることを特徴とする印刷制御装置。
【請求項８】
請求項６または７において、
前記特定部は、予め定めたフォントデータを用いて黒色の印刷を行うデータ部分を前記第１データ部分として特定することを特徴とする印刷制御装置。
【請求項９】
請求項６または７において、
前記特定部は、前記印刷媒体上の予め定めた領域内に黒色の印刷を行うデータ部分を前記第１データ部分として特定することを特徴とする印刷制御装置
【請求項１０】
請求項６または７において、
前記特定部は、複数の前記印刷データを含む印刷ジョブデータを解析して、各印刷データにおいて他の印刷データと共通のデータ部分を除いた固有のデータ部分を前記第１データ部分として特定することを特徴とする印刷制御装置。
【発明の詳細な説明】
【技術分野】
【０００１】
本発明は、シアン、マゼンタ、イエローおよびブラックのインクを用いて黒色を印刷する印刷装置の印刷制御方法および印刷制御装置に関する。
【背景技術】
【０００２】
印刷ヘッドからシアン、マゼンタ、イエローおよびブラックの４種類のインクを吐出させて黒色の印刷を行う印刷装置は特許文献１に記載されている。特許文献１では、通常よりも定着性の劣る記録用紙に印刷を行う際に、ブラックインクの吐出量を規定の吐出量よりも少なくしている。すなわち、ブラックインクは他の有彩色の３種類のインクと比較して印刷用紙から剥離しやすく、定着性の劣る記録用紙に印刷を施す場合には搬送ローラーなどに付着しやすくなる。従って、ブラックインクの吐出量を少なくして記録用紙からのブラックインクの剥離を抑制している。
【先行技術文献】
【特許文献】
【０００３】
【特許文献１】特開２００９−１５９３６３号公報
【発明の概要】
【発明が解決しようとする課題】
【０００４】
ブラックインクは、記録用紙に定着したインク滴の耐擦性（インク滴の印刷媒体への定着性）および耐水性についても、有彩色のインクよりも劣る場合が多い。従って、印刷データが黒色のバーコードや２次元コードを印刷するものである場合には、特許文献１のようにブラックインクの吐出量を規定量よりも減少させた印刷を行って、印刷画像における２次元コードの耐擦性や耐水性を向上させることが考えられる。
【０００５】
ここで、ブラックインクの吐出量を減少させると、印刷画像における黒色の発色が低下することがある。従って、例えば、印刷データが写真および２次元コードを印刷するものである場合にブラックインクの吐出量を減少させると、印刷画像における写真の画質が低下してしまうという問題がある。
【０００６】
本発明の課題は、かかる問題点に鑑みて、印刷画像の一部分の耐擦性および耐水性を向上させる際に他の部分の画質を維持することが可能な印刷装置の印刷方法および印刷制御装置を提供することにある。
【課題を解決するための手段】
【０００７】
上記の課題を解決するために、本発明は、印刷データの印刷媒体への印刷時に、シアン、マゼンタ、イエローの３種類のインクおよびブラックインクの少なくとも一方で黒色の印刷を行う印刷装置の印刷制御方法において、前記印刷データの一部分である第１データ部分を特定し、前記第１データ部分に基づいて黒色を印刷する際に、前記ブラックインクの使用量を前記黒色の印刷用に予め規定されている当該ブラックインクの規定使用量よりも少なくすることを特徴とする。
【０００８】
黒色の印刷に際してブラックインクの使用量を少なくすると印刷画像における耐擦性および耐水性が向上する。従って、本発明によれば、印刷画像において、第１データ部分に基づいて印刷された画像部分の耐擦性および耐水性を向上させることができる。ここで、黒色の印刷に際してブラックインクの使用量を少なくすると、黒色の発色の低下により印刷画像の画質が低下することがあるが、第１データ部分を除く印刷データの他のデータ部分については、ブラックインクの使用量を規定使用量のままで維持できる。従って、第１データ部分を除く印刷データの他のデータ部分に基づいて印刷された画像部分の画質を高画質に維持できる。すなわち、印刷画像の一部分の耐擦性および耐水性を向上させる際に他の部分の画質を維持することができる。
【０００９】
本発明において、黒色を印刷する場合にブラックインクの使用量を減少させると、黒色で印刷される部分の明度が上昇しすぎて印刷画像の見た目が所望の印刷結果と異なるものになってしまうことがある。かかる問題の発生を抑制あるいは防止するためには、前記第１データ部分に基づいて前記黒色を印刷する場合には、前記３種類のインクの使用量を、前記黒色の印刷用に予め規定されている当該３種類のインクの規定使用量よりも多くすることが望ましい。すなわち、ブラックインクの使用量を減少させた場合に、シアン、マゼンタ、イエローの３種類のインクでブラックインクの減少分を補う。このようにすれば、黒色の印刷部分の明度の上昇を抑制できる。また、シアン、マゼンタ、イエローの３種類のインクの使用量を増大させれば、ブラックインクの使用量の減少に起因して印刷画像にかすれやドット抜けなどの欠損が発生することを防止できる。
【００１０】
本発明において、予め定めたフォントデータを用いて黒色の印刷を行うデータ部分を前記第１データ部分として特定することができる。このようにすれば、第１データ部分を特定することが容易になる。また、例えば、コードフォントデータを用いて黒色のバーコードを印刷するためのデータ部分を第１データ部分とすれば、印刷画像におけるバーコードの耐擦性および耐水性を向上させることができる。さらに、印刷媒体の一部分に注意書きを印刷するためのフォントデータを予め定めたフォントデータとしておけば、印刷画像における注意書きの耐擦性および耐水性を向上させることができる。
【００１１】
本発明において、前記印刷媒体上の予め定めた設定領域内に黒色の印刷を行うデータ部分を前記第１データ部分として特定してもよい。このようにすれば、第２データ部分に基づいて設定領域から外れている領域に印刷される画像部分の画質を維持しながら、第１データ部分に基づいて設定領域に印刷される画像部分の耐擦性および耐水性を向上させることができる。
【００１２】
本発明において、複数の前記印刷データを含む印刷ジョブデータの供給を受け、各印刷データにおいて他の印刷データと共通のデータ部分を除いた固有のデータ部分を前記第１データ部分として特定することもできる。このようにすれば、例えば、印刷ジョブデータに含まれる各印刷データによって次々と発行される印刷物の発行番号など、各印刷物に固有の印刷部分の耐擦性および耐水性を向上させることができる。
【００１３】
次に、本発明は、シアン、マゼンタ、イエローの３種類のインクおよびブラックインクの少なくとも一方を印刷ヘッドから吐出させて黒色の印刷を行う印刷装置を駆動制御して印刷データを印刷媒体に印刷する印刷制御装置において、前記印刷データの一部分である第１データ部分を特定する特定部と、前記第１データ部分に基づいて黒色を印刷する際に前記印刷ヘッドから吐出させる前記ブラックインクの吐出量を、前記黒色の印刷用に予め規定された前記ブラックインクの規定吐出量よりも少なくするインク量補正部と、を有することを特徴とする。
【００１４】
本発明によれば、印刷データの第１データ部分の印刷に際し、印刷ヘッドから吐出させるブラックインクの吐出量を規定吐出量よりも少なくすることができる。従って、印刷画像において、第１データ部分に基づいて印刷された画像部分の耐擦性および耐水性を向上させることができる。一方、第１データ部分を除く印刷データの他のデータ部分については、ブラックインクの吐出量を維持できるので、黒色の発色の低下により印刷画像の画質が低下することを防止できる。すなわち、印刷画像の一部分の耐擦性および耐水性を向上させる際に他の部分の画質を維持することができる。
【００１５】
本発明において、前記インク量補正部は、前記第１データ部分に基づいて前記黒色を印刷する際に前記印刷ヘッドから吐出させる前記３種類のインクの吐出量を、前記黒色の印刷用に予め規定された前記３種類のインクの規定吐出量よりも多くすることが望ましい。すなわち、ブラックインクの吐出量を減少させたときに、シアン、マゼンタ、イエローの３種類のインクでブラックインクの減少分を補う。このようにすれば、黒色の印刷部分の明度の上昇を抑制することができる。また、シアン、マゼンタ、イエローの３種類のインクの吐出量を増やせば、ブラックインクの吐出量の減少に起因して印刷画像にかすれやドット抜けなどの欠損が発生することを防止できる。
【００１６】
本発明において、前記特定部は、予め定めたフォントデータを用いて黒色の印刷を行うデータ部分を前記第１データ部分として特定するものとすることができる。このようにすれば、第１データ部分の特定が容易となる。
【００１７】
本発明において、前記特定部は、前記印刷媒体上の予め定めた領域内に黒色の印刷を行うデータ部分を前記第１データ部分として特定してもよい。このようにすれば、第２データ部分に基づいて設定領域から外れている領域に印刷される画像部分の画質を維持しながら、第１データ部分に基づいて設定領域に印刷される画像部分の耐擦性および耐水性を向上させることができる。
【００１８】
本発明において、前記特定部は、複数の前記印刷データを含む印刷ジョブデータを解析して、各印刷データにおいて他の印刷データと共通のデータ部分を除いた固有のデータ部分を前記第１データ部分として特定してもよい。このようにすれば、各印刷データに基づいて発行される各印刷物に固有の印刷部分の耐擦性および耐水性を向上させることができる。
【発明の効果】
【００１９】
本発明によれば、印刷データの第１データ部分の印刷と第１データ部分とは異なる他のデータ部分の印刷で、同一の黒色を印刷する場合のブラックインクの使用量を変化させることができる。従って、印刷媒体上に、耐擦性および耐水性を向上させた印刷領域と耐擦性および耐水性よりも画質を優先した印刷領域を混在させることができる。よって、印刷画像の一部分の耐擦性および耐水性を向上させる際に他の部分の画質を維持できる。
【図面の簡単な説明】
【００２０】
【図１】本発明を適用した印刷システムの概略ブロック図である。
【図２】印刷システムから発行されるラベルの説明図である。
【図３】プリンタードライバー実行部が表示するダイアログボックスの説明図である。
【図４】印刷システムにおける印刷処理動作のフローチャートである。
【発明を実施するための形態】
【００２１】
以下に、図面を参照して、本発明を適用した印刷システムを説明する。
【００２２】
（印刷システム）
図１は本発明を適用した印刷システムの概略ブロック図である。図２は本例の印刷システムにより発行されるラベルの説明図である。本例の印刷システム１はプリンター（印刷装置）２と、このプリンター２を駆動制御するホストコンピューター（印刷制御装置）３を有する。プリンター２とホストコンピューター３は通信可能に接続されている。印刷システム１からは図２に示すラベル４が発行される。
【００２３】
プリンター２はインクジェットプリンターであり、印刷ヘッド５から、シアンインクＣ、マゼンタインクＭ、イエローインクＹおよびブラックインクＢｋの４色のインクを吐出させて印刷を行う。プリンター２には、文字を印刷する際に用いる文字フォントデータ６とＱＲコード（登録商標）などの２次元コード１９（図２参照）を印刷する際に用いるコードフォントデータ７が搭載されている。本例のプリンター２は、ラベル用紙（印刷媒体）８に黒色の線や領域を形成する際に、印刷ヘッド５から、シアンインクＣ、マゼンタインクＭ、イエローインクＹおよびブラックインクＢｋの４種類のインクを吐出させる。
【００２４】
各インクＣ、Ｍ、Ｙ、Ｂｋ（シアンインクＣ、マゼンタインクＭ、イエローインクＹ、およびブラックインクＢｋ）は、色材、溶剤、樹脂等を含有しており、それぞれの成分、成分比率、含有量の相違に起因して耐水性や耐擦性が個々に相違している。本例では、ブラックインクＢｋの耐水性および耐擦性は、有彩色の各インクＣ、Ｍ、Ｙと比較して劣るものとなっている。なお、ブラックインクＢｋの耐水性および耐擦性が劣るのは、可視光を吸収するために色材の含有量が有彩色の各インクＣ、Ｍ、Ｙと比較して多く、印刷ヘッド５から吐出されたインク滴がラベル用紙８（印刷媒体）に着弾したときに、ラベル用紙８の表層部に留まっている顔料が盛り上がった状態となることなどの理由による。
【００２５】
ホストコンピューター３には、ディスプレイ１１と、キーボードやマウスなどの入力装置１２が接続されている。ホストコンピューター３は、ＯＳ部１３、アプリケーションプログラム実行部１４およびプリンタードライバー実行部１５を備えている。
【００２６】
ＯＳ部１３ではオペーレーティングシステムが動作している。アプリケーションプログラム実行部１４では印刷データを作成するためのアプリケーションプログラムが動作している。プリンタードライバー実行部１５ではプリンター２を駆動制御するためのプリンタードライバーが動作している。アプリケーションプログラムにより作成される印刷データは、図２に示すように、ラベル用紙８に、商品写真１６、企業ロゴ１７、注意書き１８、および、２次元コード１９を印刷するものである。印刷データでは、注意書き１８を印刷する際にプリンター２に搭載されている文字フォントデータ６を用いること、および、２次元コード１９を印刷する際にプリンター２に搭載されているコードフォントデータ７を用いることが規定されている。
【００２７】
プリンタードライバー実行部１５はＯＳ部１３を介してアプリケーションプログラム実行部１４から出力される印刷データを取得する。プリンタードライバー実行部１５は印刷データを印刷コマンドに変換し、この印刷コマンドをプリンター２に出力することによってプリンター２を駆動制御してラベル４を発行する。
【００２８】
（プリンタードライバー実行部）
プリンタードライバー実行部１５は、図１に示すように、ドライバー上位層２１と画像処理モジュール２２を備えている。ドライバー上位層２１はアプリケーションプログラム実行部１４から供給された印刷データをレンダリング処理し、印刷データの各画素をＲＧＢ多値データに変換する。画像処理モジュール２２はドライバー上位層２１から供給されるＲＧＢ多値データを各インクＣ、Ｍ、Ｙ、Ｂｋのインク量データに変換し、更に、このインク量データを印刷コマンドに変換してプリンター２に出力する。画像処理モジュール２２は、色変換モジュール２３、色処理ＬＵＴ（ルックアップテーブル）２４、インク量補正指示入力部２５、処理対象データ部分特定部（特定部）２６、インク量補正部２７、コマンド変換モジュール２８、ＳＭＬ変換テーブル２９、印刷コマンド出力部３０を備えている。
【００２９】
色変換モジュール２３は、色処理ＬＵＴ２４を参照して各画素のＲＧＢ多値データを各インクＣ、Ｍ、Ｙ、Ｂｋのインク量データに変換する。色変換モジュール２３から出力される各インクＣ、Ｍ、Ｙ、Ｂｋのインク量データは、印刷データの各画素をラベル用紙８上に印刷する際に印刷ヘッド５から吐出される各インクＣ、Ｍ、Ｙ、Ｂｋの吐出量（使用量）を規定する規定吐出量である。なお、吐出量とは印刷ヘッド５から吐出されるインクの量を主体とする表現であり、ラベル用紙８に吐出されたインクの量を主体とする場合には打ち込み量と表現されることもある。
【００３０】
インク量補正指示入力部２５は、ディスプレイ１１にダイアログボックス３１を表示して、印刷画像の一部分の耐擦性および耐水性を向上させるインク量補正処理を行うか否かの指示を受け付ける。図３はインク量補正指示入力部２５がディスプレイ１１に表示するダイアログボックス３１の説明図である。ダイアログボックス３１は、中央部分にインク量補正処理を行うか否かの指示を受け付けるためのチェックボックス３２を備えている。
【００３１】
処理対象データ部分特定部２６は、入力装置１２の操作によってチェックボックス３２にチェックが付けられると、印刷データにおいて、耐擦性および耐水性を向上させるインク量補正処理を行う処理対象データ部分（第１データ部分）を特定する。また、処理対象データ部分特定部２６は、印刷データにおいて処理対象データ部分を除く他のデータ部分をインク量補正処理を行う必要がない不処理データ部分として特定する。
【００３２】
本例では、処理対象データ部分特定部２６は、印刷データにおいて、プリンター２に搭載されているフォントデータ６、７を用いて印刷することが規定されているデータ部分を処理対象データ部分として特定する。すなわち、処理対象データ部分特定部２６は、印刷データにおいて注意書き１８を印刷するためのデータ部分と、２次元コード１９を印刷するコード部分を処理対象データ部分として特定する。また、処理対象データ部分特定部２６は、商品写真１６を印刷するコード部分と企業ロゴ１７を印刷するコード部分を不処理データ部分として特定する。
【００３３】
インク量補正部２７は、処理対象データ部分特定部２６によって処理対象データ部分が特定されると、色変換モジュール２３から出力されたインク量データにおいて当該処理対象データ部分に対応する処理対象インク量データ部分を特定する。しかる後に、インク量補正部２７は、処理対象インク量データ部分に対してインク量補正処理を行う。
【００３４】
インク量補正処理において、インク量補正部２７はブラックインクＢｋの規定吐出量を所定の補正割合まで減少させる補正を行う。本例では補正割合は８５％とされている。ブラックインクＢｋの規定吐出量をＢｋｒｑ、補正後のブラックインクＢｋの補正吐出量をＢｋｖｑとすると、補正後のブラックインクＢｋの吐出量である補正吐出量Ｂｋｖｑは、以下の式（１）で示される。
Ｂｋｖｑ＝Ｂｋｒｑ×０．８５・・（１）
【００３５】
また、インク量補正処理において、インク量補正部２７は有彩色の各インクＣ、Ｍ、Ｙの各規定吐出量を増大させる補正を行う。本例では、有彩色の各インクＣ、Ｍ、Ｙの各規定吐出量をブラックインクＢｋの規定吐出量とブラックインクＢｋの補正吐出量の差分に基づいて増大させる。すなわち、ブラックインクＢｋの規定吐出量とブラックインクＢｋの補正吐出量の差分を有彩色のインク数である３で均等に割り、この算出値を有彩色の各インクＣ、Ｍ、Ｙの各規定吐出量に加えて各補正吐出量とする。有彩色の各インクＣ、Ｍ、Ｙの各規定吐出量をＣＭＹｒｑ、ブラックインクＢｋの規定吐出量をＢｋｒｑ、ブラックインクＢｋの補正吐出量をＢｋｖｑ、有彩色の各インクＣ、Ｍ、Ｙの各補正吐出量をＣＭＹｖｑとすると、補正後の有彩色の各インクＣ、Ｍ、Ｙの吐出量である各補正吐出量（増大補正吐出量）ＣＭＹｖｑは、以下の式（２）で示される。
ＣＭＹｖｑ＝ＣＭＹｒｑ＋（Ｂｋｒｑ−Ｂｋｖｑ）／３・・（２）
【００３６】
例えば、処理対象インク量データ部分において、特定の黒色の画素を印刷するためのシアンインクＣの規定吐出量が２５、マゼンタインクＭの規定吐出量が２５、イエローインクＹの規定吐出量が２５、ブラックインクＢｋの規定吐出量が２５と規定されている場合には、インク量補正部２７は上記式（１）にブラックインクＢｋの規定吐出量（Ｂｋｒｑ＝２５）を代入し、ブラックインクＢｋの補正吐出量（Ｂｋｖｑ＝２１．２５）を算出する。その後、インク量補正部２７は、印刷時に印刷ヘッド５から実際に吐出させるブラックインクＢｋの吐出量が補正吐出量（Ｂｋｖｑ＝２１．２５）となるように処理対象インク量データ部分を書き換える。
【００３７】
また、インク量補正部２７は、上記の式（２）に有彩色の各インクＣ、Ｍ、Ｙの各規定吐出量（ＣＭＹｒｑ＝２５）、ブラックインクＢｋの規定吐出量（Ｂｋｒｑ＝２５）およびブラックインクＢｋの補正吐出量（Ｂｋｖｑ＝２１．２５）を代入し、有彩色の各インクＣ、Ｍ、Ｙの各補正吐出量（ＣＭＹｖｑ＝２６．２５）を算出する。その後、インク量補正部２７は、印刷時に印刷ヘッド５から実際に吐出させる有彩色の各インクＣ、Ｍ、Ｙの吐出量が補正吐出量（ＣＭＹｖｑ＝２６．２５）となるように処理対象インク量データ部分を書き換える。
【００３８】
なお、本例では、ブラックインクＢｋの規定吐出量（Ｂｋｒｑ＝２５）と有彩色の各インクＣ、Ｍ、Ｙの各規定吐出量（ＣＭＹｒｑ＝２５）を合計した補正前の全体インク吐出量の値（１００）と、ブラックインクＢｋの補正吐出量（Ｂｋｖｑ＝２１．２５）と有彩色の各インクＣ、Ｍ、Ｙの各補正吐出量（ＣＭＹｖｑ＝２６．２５）を合計した補正後の全体インク吐出量の値（１００）が同一となるようにインク量補正処理を行っている。
【００３９】
コマンド変換モジュール２８は、色変換モジュール２３から出力されたインク量データを印刷コマンドに変換する。また、インク量補正部２７によってインク量データにインク量補正処理が施されている場合には、インク量補正処理が施されたインク量データを印刷コマンドに変換する。ここで、本例のプリンター２は、印刷ヘッド５から大きさの異なる３種類（大、中、小）のインク滴を吐出することにより印刷を行うものであり、印刷コマンドによって各種類（大、中、小）のインク滴の吐出割合を制御することにより各インクＣ、Ｍ、Ｙ、Ｂｋの吐出量が調整される。インク量データから印刷コマンドへの変換は、インク量データと３種類（大、中、小）のインク滴の吐出割合とを対応付けたＳＭＬ変換テーブル２９を参照することにより行われる。
【００４０】
印刷コマンド出力部３０は、印刷コマンドが生成されると、この印刷コマンドをプリンター２に出力する。プリンター２は印刷コマンドによって駆動制御されてラベル４を印刷する。
【００４１】
（印刷データ印刷処理）
図４は印刷データを印刷する印刷処理動作のフローチャートである。プリンタードライバー実行部１５がアプリケーションプログラム実行部１４から印刷データの供給を受けると、ドライバー上位層２１は印刷データをレンダリング処理して各画素をＲＧＢ多値データに変換する（ステップＳＴ１）。ドライバー上位層２１からＲＧＢ多値データが出力されると、色変換モジュール２３は色処理ＬＵＴ２４によりＲＧＢ多値データを各インクＣ、Ｍ、Ｙ、Ｂｋのインク量データ（規定吐出量）に変換する色変換処理を行う（ステップＳＴ２）。
【００４２】
ここで、ダイアログボックス３１のチェックボックス３２にチェックが付されている場合には（ステップＳＴ３：Ｙｅｓ）、処理対象データ部分特定部２６が印刷データにおける処理対象データ部分を特定する（ステップＳＴ４）。処理対象データ部分が特定されると、インク量補正部２７はインク量補正処理を行う（ステップＳＴ５）。
【００４３】
インク量補正処理では、まず、インク量データにおいて処理対象データ部分に対応する処理対象インク量データ部分が特定される。次に、処理対象データ部分に基づいて黒色を印刷する際のブラックインクＢｋの吐出量を、ステップＳＴ２で当該黒色の印刷用に予め規定されたブラックインクＢｋの規定吐出量よりも少なくする補正を行う。また、インク量補正部２７は、有彩色の３種類のインクＣ、Ｍ、Ｙのそれぞれの吐出量を、ステップＳＴ２で当該黒色の印刷用に予め規定された規定吐出量よりも多くする補正を行う。
【００４４】
インク量補正処理によって、注意書き１８を印刷するコード部分および２次元コード１９を印刷するコード部分を印刷する際に印刷ヘッド５から吐出される各インクの吐出量が補正される。すなわち、ブラックインクＢｋの吐出量は規定吐出量よりも少ない補正吐出量に補正される。有彩色の各インクＣ、Ｍ、Ｙの吐出量は規定吐出量よりも大きい補正吐出量に補正される。
【００４５】
次に、コマンド変換モジュール２８はインク量データに基づいて印刷コマンドを生成する（ステップＳＴ６）。
【００４６】
ここで、ダイアログボックス３１のチェックボックス３２にチェックが付されている場合には、インク量補正処理が行われたインク量データ（補正吐出量）に基づいて印刷コマンドが生成される。一方、ダイアログボックス３１のチェックボックス３２にチェックが付されていない場合には、色変換モジュール２３から出力されたままのインク量データ（規定吐出量）に基づいて印刷コマンドが生成される。
【００４７】
印刷コマンドが生成されると、印刷コマンド出力部３０はこの印刷コマンドをプリンター２に出力する（ステップＳＴ７）。プリンター２は印刷コマンドによって駆動制御されてラベル４を発行する。
【００４８】
（作用効果）
本例では、ラベル用紙８に注意書き１８および２次元コード１９を印刷する場合に、ブラックインクＢｋの吐出量（使用量）を規定吐出量よりも減らすことができる。ここで、ブラックインクＢｋの吐出量を少なくすれば、ラベル用紙８上に形成される印刷画像の耐擦性および耐水性が向上する。従って、本例によれば、印刷画像における注意書き１８および２次元コード１９の耐擦性および耐水性を向上させることができる。
【００４９】
また、本例では、ラベル用紙８に注意書き１８および２次元コード１９を印刷する際にブラックインクＢｋの吐出量を減らした場合でも、商品写真１６と企業ロゴ１７を印刷する際には、ブラックインクＢｋの吐出量を規定吐出量のままで維持することができる。従って、ラベル用紙８上に形成される商品写真１６と企業ロゴ１７の画質を高画質に維持できる。
【００５０】
ここで、ブラックインクＢｋの吐出量を減少させると、黒色で印刷される部分の明度が上昇しすぎてラベル４の見た目が所望の印刷結果と異なるものになってしまうことがある。かかる問題に対して、本例では、インク量補正処理に際して有彩色の３種類のインクＣ、Ｍ、Ｙの吐出量を増やしている。すなわち、ブラックインクＢｋの使用量を減少させたときに、有彩色の３種類のインクＣ、Ｍ、ＹでブラックインクＢｋの減少分を補っている。従って、黒色の印刷部分の明度の上昇を抑制することができる。また、有彩色の３種類のインクＣ、Ｍ、Ｙの吐出量をそれぞれ増大させているので、ブラックインクＢｋの吐出量の減少に起因してラベル４にかすれやドット抜けなどの欠損が発生することが防止されている。
【００５１】
また、本例では、プリンター２に搭載されているフォントデータ６、７を用いて黒色の印刷を行うデータ部分を処理対象データ部分としているので、インク量補正処理を施す処置対象データ部分を特定することが容易である。また、２次元コード１９を印刷するデータ部分を処理対象データ部分としているので、２次元コード１９の耐擦性および耐水性を向上させることができる。よって、擦れや水滴などにより２次元コード１９が損傷してコードリーダーによる読取精度が低下してしまうことを抑制できる。
【００５２】
（その他の実施の形態）
上記の例では、処理対象データ部分特定部２６は、フォントデータ６、７を用いて印刷を行うデータ部分を処理対象データ部分として特定しているが、処理対象データ部分をラベル４における予め定めた設定領域内に印刷を行うデータ部分とすることもできる。この場合には、インク量補正指示入力部２５は、ダイアログボックス３１に印刷イメージを表示し、印刷イメージ上で耐擦性および耐水性を向上させた印刷を行う領域の設定を受け付ける。処理対象データ部分特定部２６は、印刷イメージ上で設定された設定領域に印刷を行うためのデータ部分を処理対象データ部分として特定する。そして、インク量補正部２７は、特定された処理対象データ部分に対応するインク量データの処理対象インク量データ部分を特定し、インク量補正処理を施す。このようにすれば、印刷イメージで設定した設定領域内に印刷される画像部分の耐擦性および耐水性を向上させながら、設定領域外の画像部分の画質を高い状態で維持できる。
【００５３】
また、上記の例では、処理対象データ部分特定部２６は、プリンター２に搭載されているフォントデータ６、７を用いて印刷を行うデータ部分を処理対象データ部分としているが、ホストコンピューター３に搭載されている特定のフォントデータを用いていることが規定されているデータ部分を処理対象データ部分として特定することもできる。
【００５４】
さらに、アプリケーションプログラム実行部１４からプリンタードライバー実行部１５に、複数の印刷データを含む印刷ジョブデータが供給される場合には、処理対象データ部分特定部２６は、各印刷データにおいて他の印刷データと共通のデータ部分を除いた固有のデータ部分を前記第１データ部分として特定してもよい。このようにすれば、例えば、印刷ジョブデータに含まれる各印刷データによって次々と発行される印刷物の発行番号など、各印刷物に固有の印刷部分の耐擦性および耐水性を向上させることができる。
【００５５】
また、上記の例では、インク量補正処理におけるブラックインクＢｋの補正割合を８５％としているが、補正割合は当該値に限られるものではなく、これより高い割合としてもよく、これよりも低い割合としてもよい。
【００５６】
さらに、インク量補正部２７は、インク量補正処理において、ブラックインクＢｋの吐出量をゼロとして、シアンインクＣ、マゼンタインクＭ、イエローインクＹの３種類のインクのみによって黒色の印刷を行うようにインク量データを補正することもできる。
【符号の説明】
【００５７】
１・・印刷システム、２・・プリンター（印刷装置）、３・・ホストコンピューター（印刷制御装置）、４・・ラベル、５・・印刷ヘッド、６・・文字フォントデータ、７・・コードフォントデータ、８・・ラベル用紙（印刷媒体）、１１・・ディスプレイ、１２・・入力装置、１３・・ＯＳ部、１４・・アプリケーションプログラム実行部、１５・・プリンタードライバー実行部、１６・・商品写真、１７・・企業ロゴ、１８・・注意書き、１９・・２次元コード、２１・・ドライバー上位層、２２・・画像処理モジュール、２３・・色変換モジュール、２４・・色処理ＬＵＴ、２５・・インク量補正指示入力部、２６・・処理対象データ部分特定部（特定部）、２７・・インク量補正部、２８・・コマンド変換モジュール、２９・・ＳＭＬ変換テーブル、３０・・印刷コマンド出力部、３１・・ダイアログボックス、３２・・チェックボックス、Ｃ・・シアンインク、Ｍ・・マゼンタインク、Ｙ・・イエローインク、Ｂｋ・・ブラックインク
【図１】
2014233855.tif 000003
【図４】
2014233855.tif 000004
【図２】
2014233855.tif 000005
【図３】
2014233855.tif 000006